(57)【要約】【課題】  診断用の縮小画像の一覧からの画像の選択が容易であり、画像選択にかかる時間を短縮することができる医用画像表示装置を提供する。【解決手段】  複数の医用画像または動画を保管する画像保管部１を有し、その医用画像または動画の縮小画像の一覧を表示するためのカタログ表示専用モニタ４を備える。カタログ表示専用モニタ４は表示領域を複数に分割することにより、異なる画像種を複数表示する。また、表示領域サイズや表示する画像種等を画像種＝領域定義ファイル８に定義し、その定義に基づいてカタログ表示専用モニタ４に複数の縮小画像の一覧を表示する。【選択図】  図１
2009000342.tif 000002
【特許請求の範囲】
【請求項１】
複数の医用画像または動画を保管する画像保管部と、
前記複数の医用画像または動画の縮小画像を一覧にして表示するための制御をする表示制
御部と、
前記複数の医用画像または動画の縮小画像の一覧を表示するカタログ表示専用モニタとを
備えることを特徴とする医用画像表示装置。
【請求項２】
前記カタログ表示専用モニタの表示画面を少なくとも２つの表示領域に分割する分割領
域管理部を備え、少なくとも２つの異なる医用画像または動画の縮小画像を分割された前
記少なくとも２つの表示領域にそれぞれ一覧表示をすることを特徴とする請求項１記載の
医用画像表示装置。
【請求項３】
前記カタログ表示専用モニタへの専用の操作をする操作器を備えたことを特徴とする請
求項１記載の医用画像表示装置。
【請求項４】
前記カタログ表示専用モニタの表示画面において、分割された前記少なくとも２つの表
示領域に表示する画像種を設定する定義ファイルを備えたことを特徴とする請求項２記載
の医用画像表示装置。
【請求項５】
前記定義ファイルは、前記少なくとも２つに分割された表示領域の前記表示画面に対し
てそれぞれの表示領域の領域サイズを設定することを特徴とする請求項２記載の医用画像
表示装置。
【請求項６】
前記少なくとも２つに分割された表示領域のそれぞれの領域サイズを、前記操作器によ
って変更することを特徴とする請求項３記載の医用画像表示装置。
【請求項７】
前記少なくとも２つに分割された表示領域のうち、どの表示領域を画像選択可能な状態
にするのかを制御するアクティブ領域制御部を備えることを特徴とする請求項２記載の医
用画像表示装置。
【請求項８】
前記少なくとも２つに分割された表示領域のうち、前記画像選択可能な状態の表示領域
を切替える操作を、前記操作器によって行うことを特徴とする請求項３記載の医用画像表
示装置。
【請求項９】
前記カタログ表示モニタの表示画面の一画面ごとに異なる医用画像または動画の縮小画
像の一覧を表示し、その異なる医用画像または動画の縮小画像の一覧を一画面ごとに切替
えることを特徴とする請求項１記載の医用画像表示装置。
【請求項１０】
前記カタログ表示モニタの表示画面の表示領域を分割して異なる医用画像または動画の
縮小画像の一覧を表示するか、前記表示画面の一画面ごとに異なる医用画像または動画の
縮小画像の一覧を表示し、その異なる医用画像または動画の縮小画像の一覧を一画面ごと
に切替えるかをあらかじめ設定することを特徴とする請求項１記載の医用画像表示装置。
【発明の詳細な説明】
【技術分野】
【０００１】
本発明は、医用画像表示装置に係り、特に、複数の参照用画像から適切な診断画像を選
択する医用画像表示装置に関する。
【背景技術】
【０００２】
医療の分野では、患者を撮影した医用画像のデジタル化が実現されており、医用画像診
断装置は、超音波診断装置、Ｘ線診断装置、ＭＲＩ装置（Ｍａｇｎｅｔｉｃ Ｒｅｓｏｎ
ａｎｃｅ Ｉｍａｇｉｎｇ）等の各種医用診断装置（モダリティともいう。）により撮影
され、デジタル化された医用画像等を表示する画像装置であり、診断・治療等の目的に応
じて種々のものが存在する。現在では、この医用画像をモニタ上にリアルタイムに表示す
ることができる装置などが知られている。
【０００３】
このような従来の医用画像診断装置では、モニタに表示する医用画像を選択するために
、複数の縮小画像を一覧で表示し、その複数の縮小画像から任意の医用画像を選択すると
いうことが行われている。この医用画像の選択に際して、撮影画像を表示ためのモニタを
、一時的に参照用や撮影画像との比較用の縮小画像の一覧表示状態に切替える操作を実施
して、表示された縮小画像の一覧の中からモニタへ表示する医用画像を選択する操作を実
施し、選択された画像を全面表示する技術が一般的である。しかしながらこの方法では、
撮影画像の表示から縮小画像の一覧表示に切替える必要があり、縮小画像の一覧表示から
の選択画面を全体に表示することで、撮影画像との比較をしながら選択することが出来ず
、オペレータが比較診断用の最適な画像を選択する精度が下がる恐れがある。
【０００４】
これを解決するための方法として、モニタに撮影画像と縮小画像の一覧とを同時に表示
するという方法がある。この方法によれば、常に撮影画像との比較用等の医用画像の画像
一覧を表示した状態で撮影画像を診断できるので、縮小画像の一覧から的確に表示したい
画像を選択することができ、撮影画像と縮小画像の一覧から選択したいよう画像を比較す
る必要がある場合に、比較に最適な画像を選択することが容易に出来る（例えば、特許文
献１参照。）。
【特許文献１】特開２００４−３０５２７２号公報
【発明の開示】
【発明が解決しようとする課題】
【０００５】
しかしながら、特許文献１に記載された医用画像表示方法では、縮小画像の一覧はモニ
タの一部にしか表示されないため、複数の縮小画像が存在する場合には、オペレータが縮
小画像の中から的確な医用画像を見つけるのが困難になり、医用画像を選択して表示する
までに余計な時間がかかってしまうという問題があった。
【０００６】
そこで本発明は、医用画像の一覧から診断に必要な医用画像の選択が容易であり、画像
選択にかかる時間を短縮することができる医用画像表示装置を提供することを目的とする
。
【課題を解決するための手段】
【０００７】
上記目的を達成するために、本発明の医用画像表示装置は、複数の医用画像または動画
を保管する画像保管部と、前記複数の医用画像または動画の縮小画像を一覧にして表示す
るための制御をする表示制御部と、前記複数の医用画像または動画の縮小画像の一覧を表
示するカタログ表示専用モニタとを備えることを特徴とする。
【発明の効果】
【０００８】
本発明によれば、医用画像の一覧から診断に必要な医用画像の選択が容易であり、画像
選択にかかる時間を短縮することができる。
【発明を実施するための最良の形態】
【０００９】
以下に、本発明による医用画像表示装置の実施例を図１乃至図９を参照して説明する。
【実施例１】
【００１０】
図１乃至図８を参照して、実施例１を説明する。
【００１１】
図１は本発明に係る医用画像表示装置の全体図を示している。この医用画像表示装置は、
モダリティによって撮影された医用画像や動画、過去に撮影された医用画像や動画、撮影
された医用画像の縮小画像等を保管するための画像保管部１と、医用画像を表示する少な
くとも３種類のモニタを備えている。
【００１２】
まず、撮影画像表示モニタ２は、例えばＸ線診断装置によって撮影された複数フレームの
医用画像等を表示する。さらに、参照画像表示モニタ３は、撮影された医用画像の複数の
フレームから所望のフレームを１枚だけ取り出した１フレーム画像や過去に撮影された医
用画像等の参照用画像を表示する。さらに、カタログ表示専用モニタ４は、参照画像表示
モニタ３に表示する医用画像の縮小画像の一覧等が常時表示される。なお、カタログ表示
専用モニタ４は、医用画像の縮小画像の一覧を表示していないときに、参照用画像を表示
するためのモニタとして使用することも出来る。さらに、各モニタとも複数備えられてい
ても構わない。
【００１３】
また、カタログ表示専用モニタ４に表示された医用画像の縮小画像の一覧から画像を選択
するためのカタログ表示専用モニタ４用の操作器５とを備え、縮小画像の一覧の表示に関
する画像種＝領域制御部９や、分割領域管理部１０や各領域内表示管理部１４などの設定
状況や制御信号をカタログ表示専用モニタ４へ反映するための制御を行うカタログ表示専
用モニタ表示制御部６を有している。
【００１４】
また、カタログ表示専用モニタ４に表示される縮小画像の一覧表示は、現在の撮影画像、
過去の撮影画像、現在の撮影動画、過去の撮影動画やフレーム数（１フレームや複数フレ
ーム毎）等の画像種によって表示領域を分割しており、カタログ表示専用モニタ４用の操
作器５の操作による入力信号に即して画像の選択や移動、表示領域の選択や領域変更、な
どのカタログ表示専用モニタ４の表示に伴う制御を行うＵＩ制御部７を備えている。
【００１５】
さらに、画像保管部１に保管されている画像に付帯された画像種の情報の管理や画像種＝
領域定義ファイル８に定義された画像種や表示領域の分割の定義を各領域内表示管理部１
４へ反映させるための制御を行う画像種＝領域制御部９を有している。また、ＵＩ制御部
７からのアクティブ状態の表示領域を変更するための分割領域切替え信号や、画像を選択
するための画像選択可能表示２６を移動するための画像選択移動信号や、選択した画像を
決定するための画像決定信号等によって、アクティブ状態の表示領域を制御するアクティ
ブ領域制御部１１を備え、ＵＩ制御部７からの表示領域を領域サイズを変更するための分
割領域サイズ変更信号、に基づいて各表示領域内の画像種の表示や領域サイズの変更など
の管理を行う各領域内表示管理部１４を制御する分割領域管理部１０を有している。
【００１６】
なお、画像種＝領域定義ファイル８には、カタログ表示専用モニタ４の参照用画像の縮
小画像一覧表示領域の分割数、各表示領域の領域サイズ、各領域に表示する画像種、選択
領域の切替えの際の順番、選択されて画像選択可能領域（アクティブ領域）の初期位置、
などの定義が可能である。
【００１７】
さらに、カタログ表示専用モニタ４に複数ある表示領域のどの領域が参照画像の選択が可
能な状態（アクティブ領域）であり、画像選択などの操作の対象であるのかを管理するア
クティブ領域制御部１１を有している。
【００１８】
また、操作器５によってカタログ表示専用モニタ４の中の選択された縮小画像がどれなの
かを判断する選択画像特定部１２を有し、特定された縮小画像からモダリティによって撮
影され画像保管部１に保管されている画像等を撮影画像表示モニタ２、または参照画像表
示モニタ３に表示するための制御を行う撮影／参照画像表示制御部１３を有している。
【００１９】
さらに、各領域内表示管理部１４は表示領域ごとに、領域内に表示する縮小画像の一覧の
表示順序や領域内に一度に表示しきれない数の表示の対象画像が存在する場合に、そのう
ちのどの画像を領域内に一覧表示するのか、また、表示されていない画像を領域内に表示
するためのスクロール操作に伴う表示状態の管理等を領域ごとに行う。
【００２０】
カタログ表示専用モニタ４の縮小画像の一覧から画像の選択操作を行う操作器５は、例え
ばコンソールに設けられ、ジョイスティックのような構造で、２次元上の方向を指定でき
る部分の２次元方向操作器１５と、縮小画像の一覧表示の各領域のうち画像を選択できる
状態、つまりアクティブになっている領域内の選択画像を確定するトップスイッチ１６と
、複数ある分割領域のどれをアクティブ領域にするかを切替えるサイドスイッチ１７を備
えている。
【００２１】
次に、本発明の実施例１における動作について説明する。
【００２２】
まず、モダリティによって撮影された画像は、画像保管部１に保管されると、撮影／参照
画像表示制御部１３が新規に撮影された医用画像を特定して、撮影画像モニタ２に表示す
る。なお、撮影画像モニタ２へは撮影の行われた順に新しい画像を順次表示していくよう
にしてもよいし、カタログ表示専用モニタ４に表示されている撮影中の画像の縮小画像の
一覧の中から選択された画像を表示するようにしても良い。また、画像保管部１には過去
に撮影された画像や動画が保管されている。
【００２３】
次に、それぞれの医用画像が、カタログ表示専用モニタ４に一覧表示されるまでの動作に
ついて図１乃至図８を参照して説明する。ここでは、カタログ表示専用モニタ４の画像の
一覧表示の分割領域が２つの場合を例にして説明する。
【００２４】
まず、カタログ専用モニタ４に縮小画像の一覧表示を行う前に、画像種＝領域定義ファイ
ル８の定義を確定する。画像種＝領域定義ファイルの設定は、キーボードなどの別の入力
装置を使用して変更しても良いし、操作器５を使用するようにしても良い。
【００２５】
図２は、画像種＝領域定義ファイルを選択する画面を示す図である。画像種＝領域定義フ
ァイルの選択画面は、新規作成４０と既存のファイルを選択４１を有している。まず、新
規作成４０は、画像種＝領域定義ファイルを作成者の好みにあわせて新しく作成するため
の画面を開くボタンである。既存のファイルを選択４１は、前もって作成されてある画像
種＝領域定義ファイルを読み出してカタログ表示に適用するためのボタンである。なお、
既存のファイルを選択４１の場合は、あらかじめ操作者が作成していた画像種＝定義ファ
イルを使用する場合や、はじめから装置に内蔵されている画像種＝領域定義ファイルを使
用する場合がある。
【００２６】
ここで、画像種＝領域定義ファイルを新規に作成する場合の動作を図３乃至図７を参照し
て説明する。図３は画像種＝領域定義ファイルの設定画面を示す図である。また、図４は
各設定事項の選択方式を示す図である。さらに、図５はカタログ表示専用モニタの表示例
を示す図である。まず、図３（ａ）に示すような画像種＝定義ファイル作成画面５６では
、領域の分割数４４、カタログ表示サイズ４５、アクティブ領域切替え４６、アクティブ
領域初期位置４７を設定する。この設定には、操作器５を使用しても良いが、そのほかの
別の場所にある入力装置（キーボード、マウス等）を接続して使用しても構わない。
【００２７】
最初に、領域分割数４４を設定する。ここで領域分割数とは、図５を参照して説明すると
、第１領域２３と第２領域２４に別れているように、カタログ表示の全体を領域で分割す
る数のことである。ここでは、いくつの異なる画像種を表示したいかによって領域分割数
は変わってくる。まず、領域分割数４４を選択するために選択ボタン１００を押します。
すると、図４のように、選択ボタン１００の左側の空白部分に領域の分割数がプルダウン
表示される。この表示された中から、操作者が適当なものを選択用ポインタ２００で選択
して表示させる。なお、選択ボタン１００の左側の空白部分に直接数値を記入するように
しても構わない。
【００２８】
次に、カタログ表示サイズ４５を設定する。ここでカタログ表示サイズとは、図５を参照
して説明すると、カタログ表示画面の全体に表示する画像の数のことである。
【００２９】
ここでも、領域の分割数４４を設定した時と同様に、選択ボタン１０１を押し、プルダウ
ンで表示された表示サイズ一覧の中から操作者が適当なものを選択する。ここでは、５×
７（Ｈ×Ｗ）と表示されているが、これは縦に５画像、横に７画像の１画面に３５画像表
示される画面を表す。図５は、３５画像表示される場合のカタログ表示モニタを概略的に
示しており、図５に示すように１画面に表示させる画像数を決めることで、カタログ表示
専用モニタ４に対する１画像の画像サイズが変更されることになる。なお、選択ボタン１
０１の左側の空白部分に直接数値を記入するようにしても構わない。
【００３０】
次に、アクティブ領域切替え４６を設定する。アクティブ領域切替えとは、画像が選択可
能になっている領域のことであり、図５に示すような画像選択可能表示２６が表示されて
いる領域を切替える領域の順序である。ここでも、選択ボタン１０２を押し、プルダウン
で表示された一覧の中から操作者が適当なものを選択する。なお、選択ボタン１０２の左
側の空白部分に直接数値を記入するようにしても構わない。
【００３１】
ここではＹ座標（小）優先と表示されているが、具体的には図６を参照して説明する。図
６は、アクティブ領域の切替え順序について示す図である。まず、図６（ａ）のように表
示領域の分割数が２つの時は交互にアクティブ領域を切替えるようにする。次に、表示領
域の分割数が３つ以上の時は、図６（ｂ）にあるように左上の端を基点０とし横軸ｘと縦
軸ｙを設定して、それを基準に領域を変更する。図３のアクティブ領域切替えでは、Ｙ座
標（小）優先と記載されているが、これは各領域の左上のＹ座標の小さい順にアクティブ
領域を切替えていくことを示す。図６（ｂ）では、第１領域２３ｂの基準Ｙ座標が０であ
り、第２領域２４ｂの基準Ｙ座標も０である。その場合は、Ｘ座標が小さい領域を優先す
る。また、Ｙ座標（大）の場合では、Ｙ座標が同じ場合はＸ座標が大きい方の領域を優先
する。
【００３２】
次に、アクティブ領域初期位置４７を設定する。アクティブ領域初期位置４７とは、カタ
ログ表示画面のアクティブ領域内に図５に示すような画像選択可能表示２６を表示する場
合の初期位置である。ここでも、選択ボタン１０３を押し、プルダウンで表示された一覧
の中から操作者が適当なものを選択する。なお、選択ボタン１０３の左側の空白部分に直
接数値を記入するようにしても構わない。ここでは、（Ｘ，Ｙ）座標（最小）となってい
るが、具体的には図５を参照して説明する。ここでは、画像選択可能表示２６は各領域内
のＹ座標およびＸ座標がもっとも小さい画像に最初に表示するようにする。また、（Ｘ，
Ｙ）座標（最大）の場合には、Ｙ座標およびＸ座標がもっとも大きい画像に最初に表示す
るようにする。
【００３３】
なお、画像選択可能表示２６は、前回の表示位置を記憶して、アクティブ領域を変更して
からもう一度もとのアクティブ領域にもどった場合には、前回表示していた位置を読み出
して表示してもよいし、最初に表示される画像選択可能表示２６の位置を固定してもよい
。また、画像選択可能表示２６は、選択可能になっている画像を枠で囲むものであったり
、画像をまわりの画像より大きくしたり、画像に色をつけるなどの方法がある。
【００３４】
図３（ａ）の、画像種＝定義ファイル作成画面５６の入力を取りやめる場合にはキャンセ
ルボタン４８を選択する。または、画像種＝定義ファイル作成画面５６の入力が完了した
ら、次へボタン４９を押して、図３（ｂ）の画像種／各領域サイズ設定画面５７の入力に
進む。図３（ｂ）の画像種／各領域サイズ設定画面５７は、図３（ａ）の画像種＝定義フ
ァイル作成画面５６で設定した、領域の分割数によって設定数が変わる。今回の例では、
領域の分割数を２つで設定したので、画像種／各領域サイズ設定画面５７にも、選択でき
る画像種は２つまでとなっている。
【００３５】
まず、領域１の画像種５０と領域２の画像種５１を設定する。画像種とは、現在撮影中の
画像、過去に撮影した画像、治療前画像、治療後画像、動画、静止画等をさす。ここでも
、選択ボタン１０４を押し、プルダウンで表示された一覧の中から操作者が適当なものを
選択する。ここでプルダウン表示されるのは、画像保管部１に保存されている画像に付帯
されている画像種情報から得られた画像種および現在撮影中の画像のみである。例えば、
１つの画像に過去画像と動画という２つ以上の画像種の情報が付帯されている場合には、
どちらの画像種を選択してもその画像が一覧に表示されるようにする。なお、領域１の画
像種５０と領域２の画像種５１に設定した画像種に基づいて、アクティブ領域を変更する
際に領域１の次に領域２が表示されるような領域設定時の順序でアクティブ領域を変更す
るように設定してもよい。
【００３６】
次に、領域サイズ５２と領域サイズ５３を設定する。この領域サイズ５２及び５３の設定
方法は、まず、設定ボタン１０６および１０７を押すことによって図７のような模擬画面
が表示される。図７は領域サイズの変更するための模擬画面を示す図である。
【００３７】
例えば、領域サイズ５３を設定するために設定ボタン１０７を押した場合、図７のような
模擬画面が表示され、領域分割枠３０が表示される。この、領域分割枠３０を分割変更ポ
インタ３１によって広げたり縮めたりの操作することによって領域を変更する。分割変更
ポインタ３１は、領域分割枠３０を移動することによって設定しても良いし、領域分割枠
３０を模擬画面上に描いて設定しても構わない。また、領域サイズの５２および５３の設
定を取りやめる場合には図７に示すような戻るボタン３２を選択する。また、領域サイズ
５２または５３の設定が完了したら、決定ボタン３３を押して、領域サイズの設定を終了
する。
【００３８】
さらに、画像種／各領域サイズ設定５７を設定中に前画面である画像種＝定義ファイル作
成５６の設定に戻りたい場合が戻るボタン５４を選択する。また、画像種／各領域サイズ
設定５７の入力が全て完了した場合には、保存ボタン５５を選択して、名前をつけてファ
イルを保存する。なお、保存ボタンを押した後には、名前をつけて保存するか、既存のフ
ァイルに上書きするかを選択することが出来るようにしても良い。
【００３９】
次に、新規作成または既存のファイルを選択することによって画像種＝領域定義ファイル
８が選択された後、画像種＝領域定義ファイル８に記述されている領域分割の定義に応じ
て画像種＝領域制御部９は、分割領域管理部を介して各領域内表示管理部１４を制御し、
第１領域と第２領域の領域表示割合やそれぞれに表示する画像種などを確定し、カタログ
表示専用モニタ表示制御部６が表示に反映し、カタログ表示専用モニタ４に表示する。な
お、表示された一覧画像の各領域内の表示順序等は、コンソールに設けられたボタン等で
撮影の日時順やサイズ順等の任意の表示順序に変更することが出来る。変更の入力がされ
ると、各領域内画像表示管理部１４が表示状態の変更を行い、カタログ表示専用モニタ４
に変更された状態で再表示される。
【００４０】
次に、カタログ表示専用モニタ４用の操作器５を使用する動作に関する一例を図１乃至図
８を参照して説明する。
【００４１】
まず、カタログ表示専用モニタ４に対して操作者が操作器５の２次元方向操作器１５のみ
を操作した場合は、ＵＩ制御部７は、カタログ表示専用モニタ４のアクティブとなってい
る表示領域内の画像選択先の移動信号、つまり図５に示すような画像選択可能表示２６が
移動している画像選択移動信号としてアクティブ領域制御部１１に伝えられると、アクテ
ィブ領域制御部１１が画像選択移動信号を領域内表示管理部１４のアクティブとなってい
る領域の表示管理部（例えば領域１内表示管理部１４ａ）に伝え、その領域１内表示管理
部１４ａは、例えば、図２のように画像選択移動信号に即して画像選択可能表示２６を移
動させることで領域内の複数画像の中で、画像選択可能な画像を切替える。つまり、カタ
ログ表示専用モニタ表示制御部６が、画像選択移動信号をカタログ表示専用モニタ４の表
示画像選択可能表示２６として反映させることで、画像の選択切替えを行うことが出来る
。
【００４２】
また、トップスイッチ１６のみを操作した場合、ＵＩ制御部７は、アクティブになってい
る表示領域内の選択画像を確定する信号、画像決定信号としてアクティブ領域制御部１１
に伝える。アクティブ領域制御部１１は、アクティブになっている領域１内表示管理部１
４ａに画像決定信号を伝え、それがどの画像であるのかを、選択画像特定部１２が画像決
定信号をもとに特定する。選択画像特定部１２は、特定した画像の識別情報を撮影／参照
画像表示制御部１３に送り、撮影／参照画像表示制御部１３は参照画像表示モニタ３に、
設定によっては撮影画像モニタ２に特定された画像の表示を行う。
【００４３】
さらに、サイドスイッチ１７のみを操作した場合、ＵＩ制御部７は分割領域切替え信号を
アクティブ領域制御部１１に送り、複数ある表示領域のどれをアクティブ（画像選択可能
な表示領域）にするかを切替える。例えば、領域を２分割した場合は、図４（ａ）にある
ように、領域１と領域２を交互に切替え、３分割の場合は、図４（ｂ）にあるように領域
１→領域２→領域３の繰り返しで切替える等の切替え方がある。なお、この切替えの順序
は画像種＝領域定義ファイル８に定義する。
【００４４】
また、サイドスイッチ１７を入力した状態で２次元方向操作器１５を操作した場合、ＵＩ
制御部７は、分割された表示領域と表示領域の境界を移動させる信号として分割領域サイ
ズ変更信号を分割領域管理部１０に伝える。図８は分割変更画面を示す図であり、ここ示
すように、分割変更ポインタ３１が画面上に表示され、その移動によって境界を移動させ
る。さらに、アクティブになっている領域を含めて、表示している全領域の領域内表示管
理部１４に領域サイズ変更を伝え、カタログ表示専用モニタ表示制御部６によって、領域
サイズが変更される。２次元方向に操作できるため、上下方向のサイズ変更、左右方向の
サイズ変更のいずれも可能である。このとき、縮小される側の領域が全表示領域上から失
われないように、最小限の表示領域を分割領域管理部１０が調整する。
【００４５】
なお、操作器５によって、領域サイズの変更や、アクティブ領域が切替えられた場合に、
各領域の初期領域位置座標やアクティブ初期領域の情報を書き換えることにより、最後に
操作した状態を保持して、次回の動作時の初期状態とすることも可能である。
【００４６】
なお、操作器５のスイッチに定義された動作は、操作者の任意で変えることが可能であり
、トップスイッチ１６とサイドスイッチ１７の動作を逆に設定してもかまわない。
【００４７】
次に、カタログ表示専用モニタ４の表示領域に分割して表示される画像種についての具体
例を示す。まずは、カタログ表示用モニタ４の分割領域を２つにし、「撮影画像」と「静
止参照画像」を区別して表示する例を説明する。循環器検査での「撮影画像」は、一般的
には複数フレーム画像であり、動画観察のために参照されるとともに、診断や治療に必要
な静止画として目的のフレームで動画再生を停止した状態で参照される。再度動画観察を
開始するとそれまで参照していた目的のフレームを再度探す必要があるため、この目的の
フレームを１フレーム画像である「静止参照画像」として生成することで、「静止参照画
像」という画像種から診断や治療に必要な静止画を選びやすくすることができる。この２
つを画像種として、カタログ表示専用モニタ４の「撮影画像」と「静止参照画像」のカタ
ログ表示が２つの領域に分割されて常時表示され、「撮影画像」と「静止参照画像」のい
ずれの画像の選択決定も同一操作器である、操作器５によって操作可能となる。
【００４８】
次に、カタログ表示用モニタ４の分割領域を２つにし、「過去検査画像」と「実施中検査
画像」を区別してカタログ表示する例である。術後の経過観察のための検査は、現在の画
像と過去の検査画像を比較して、状態が改善していることや、悪化していないことを判断
するのが目的である。これら２つの画像種のカタログ表示が、２つの領域に分割されて常
時表示されるため、比較すべき画像の視認性が向上し、いずれの画像の選択決定も同一操
作器である操作器５によって操作可能となることにより、容易に選択することが出来る。
【００４９】
次に、血管内治療をはじめとする治療時に、治療の段階に応じた区別を画像種として表示
する例である。治療に当たっては、治療前の状態把握のための「治療前画像」、治療を進
めるために一時的に必要であり、手技が進むにつれてその検査内では不要になっていく「
治療実施用途画像」、治療終了後の「治療後画像」などが考えられる。「治療前画像」と
「治療後画像」は治療の効果を判断するために比較することが多く、これがカタログ表示
専用モニタ４に領域を区別されて常時カタログ表示されていることにより比較画像の選択
決定が容易となる。また、治療の進行にあわせて不要となっていく画像である「治療実施
用途画像」は、最新の数画像が表示される程度に表示領域を小さくしておくことで、視認
性・選択決定の操作性などをあげることができる。
【００５０】
なお、上述した画像種の表示例については一例であり、このほかにも様々な縮小画像の一
覧表示が行えることは言うまでもない。
【００５１】
以上説明したように、本発明の実施の形態においては、カタログ表示専用モニタ４を設け
ることにより、撮影画像モニタ２や参照用画像モニタ３に縮小画像の一覧を表示すること
に比べて表示できる縮小画像も多く、視認性が上がり、手技の進行が効率的に進められ、
検査の時間の短縮につながる。
【００５２】
また、カタログ表示専用モニタ４に複数の画像種を同時に表示することができるため、複
数の画像種間で比較しながら表示を行う場合の視認性が向上する。
【００５３】
また、画像種の異なる画像をひとつの操作器５で統一された操作により選択決定が可能に
なり、画像選択決定の時間を短縮でき、手技進行に時間をかけることが出来るので、結果
として検査全体の時間を短縮できる。
【００５４】
また、カタログ表示専用モニタ４に複数異なる画像種を表示している場合、カタログ表示
中も各画像種ごとの表示領域の幅を変更することが出来るので、より多くの画像を確認し
たい画像種を優先的に多く表示することが出来る。また、変更中に再設定の画面に戻るこ
となく簡単に変更できるため、手技の中断をする必要がなくなる。
【実施例２】
【００５５】
図９は、本発明の実施例２に係る医用画像表示装置の画像種＝領域定義ファイルの設定
画面を示す図である。この実施例２の各部について、図１の実施例１の医用画像表示装置
の各部と同一部分は同一符号で示す。この実施例２が、実施例１と異なる点は、図５にあ
るカタログ表示専用モニタ４に異なる画像種を領域を分割して表示していたが、実施例２
では領域を分割せずに、異なる画像種の縮小画像一覧ごとに表示画面を切替えて領域を変
更するという構成にある。
【００５６】
具体的には、図１０に表示領域切替えの順序を示す。図１０にあるように、異なる画像
種ごとに１画面の表示領域を持ち、それを操作器５の操作によって切替えることが特徴で
ある。また、図９に示すように、画像種＝領域定義ファイル作成画面５６では画像種数５
８の設定をはじめに設けている。これは、異なるいくつの画像種を表示するのかを設定す
るものである。また、アクティブ領域切替え４６とアクティブ領域初期位置４７は、画像
種＝領域定義ファイル作成画面５６ではなく、画像種／各領域サイズ設定画面５７に設け
ることが望ましく、その場合はアクティブ領域切替え４６のプルダウン表示には、座標を
示す定義ではなく領域１の画像種５０と領域２の画像種５１に設定された画像種の順序な
どを設定する。
【００５７】
つまり、カタログ表示専用モニタ４の表示領域を分割しない状態で動作させ、分割カタロ
グ領域の切替え操作によって、別の画像種をカタログ表示専用モニタ４に表示するもので
ある。
【００５８】
なお、上述の表示領域の切替えは画像種＝領域定義ファイル８に定義することにより表示
に反映するようにしても良いし、画像種＝領域定義ファイル８を選択または作成する前に
設定するようにしても良い。また、この場合は各領域のサイズを設定するステップは必要
ない。
【００５９】
以上説明したように、本発明の実施の形態においても、カタログ表示専用モニタ４を設け
ることにより、撮影画像モニタ２や参照用画像モニタ３に縮小画像の一覧を表示すること
に比べて表示できる縮小画像も多く、視認性が上がり、手技の進行が効率的に進められ、
検査の時間の短縮につながる。
【００６０】
また、カタログ表示専用モニタ４に複数の画像種を同時に表示することができるため、複
数の画像種間で比較しながら表示を行う場合の視認性が向上する。
【００６１】
また、画像種の異なる画像をひとつの操作器５で統一された操作により選択決定が可能に
なり、画像選択決定の時間を短縮でき、手技進行に時間をかけることが出来るので、結果
として検査全体の時間を短縮できる。
【００６２】
また、カタログ表示専用モニタ４に複数異なる画像種を表示している場合、カタログ表示
中も各画像種ごとの表示領域の幅を変更することが出来るので、より多くの画像を確認し
たい画像種を優先的に多く表示することが出来る。また、変更中に再設定の画面に戻るこ
となく簡単に変更できるため、手技の中断をする必要がなくなる。
【００６３】
上述した実施例２の構成によれば、画面を切替えることにより、現在表示されている画像
が何の画像かを簡単に認識することができ、誤った画像を選択することを防ぐことが出来
る。さらに、１画面に多数の画像を表示することが出来るので、一度に複数画像を確認す
ることが出来ることから、ある画像種に着目して手技を進める場合には、存在する画像の
視認性が高く、探している画像を簡単に見つけることが出来る。
【００６４】
なお、本発明は上述した実施の形態に限定されるものではなく、その要旨を逸脱しない範
囲で種々変形して実施することが可能である。
【図面の簡単な説明】
【００６５】
【図１】本発明に係る医用画像表示装置の全体図を示す図。
【図２】本発明に係る画像種＝領域定義ファイルを選択する画面を示す図。
【図３】本発明に係る実施例１の画像種＝領域定義ファイルの設定画面を示す図。
【図４】本発明に係る画像種＝領域定義ファイルの各設定事項の選択方式を示す図。
【図５】本発明に係る実施例１のカタログ表示専用モニタの表示例を示す図。
【図６】本発明に係る実施例１のカタログ表示専用モニタのアクティブ領域の切替え順序について示す図。
【図７】本発明に係るカタログ表示専用モニタの領域サイズの変更するための模擬画面を示す図。
【図８】本発明に係るカタログ表示専用モニタの分割変更画面を示す図。
【図９】本発明に係る実施例２の画像種＝領域定義ファイルの設定画面を示す図。
【図１０】本発明に係る実施例２のカタログ表示専用モニタの表示領域変更画面を示す図。
【符号の説明】
【００６６】
２    撮影画像表示モニタ
３    参照画像表示モニタ
４    カタログ表示専用モニタ
５    操作器
７    ＵＩ制御部
８    画像種＝領域定義ファイル
１１    アクティブカタログ制御部
【図１】
2009000342.tif 000003
【図２】
2009000342.tif 000004
【図３】
2009000342.tif 000005
【図４】
2009000342.tif 000006
【図５】
2009000342.tif 000007
【図６】
2009000342.tif 000008
【図７】
2009000342.tif 000009
【図８】
2009000342.tif 000010
【図９】
2009000342.tif 000011
【図１０】
2009000342.tif 000012